(57)【要約】【課題】注入口にネジ溝が形成されていない母乳保存袋に密着接続できる補助筒を提供すること。【解決手段】母乳搾乳具用補助筒１０は、２枚のフィルムの周縁部をヒートシールして受け口部２１と母乳充填部２３及び受け口部２１と母乳充填部２３を連通する注入口２２を形成した母乳保存袋２０の注入口２２にはめ込んで使用する。該補助筒１０の上端開口の外周部１１に搾乳カップ３０と管部３３、及びキャップ３１からなる搾乳補助具をネジ付けるための上側ネジ山１２が形成され、下端開口外周部１３に横断面形状が矩形の下側ネジ山１４が形成される。  また、母乳保存袋２０の注入口２２に嵌め込まれる該補助筒１０の下端開口の外周部１３を中間部１５外周より径を小さくして中間部１５外周と下端開口外周部１３との間に段差を形成する。【選択図】図３
2005237717.tif 000002
【特許請求の範囲】
【請求項１】
２枚のフィルムの周縁部をヒートシールして受け口部と母乳充填部及び受け口部と母乳充填部を連通する注入口を形成した母乳保存袋の前記注入口にはめ込んで使用する母乳搾乳具用補助筒であって、上端開口の外周部に母乳補助具をネジ付けるための上側ネジ山を形成し、かつ下端開口外周部に横断面形状が矩形の下側ネジ山を形成したことを特徴とする母乳搾乳具用補助筒。
【請求項２】
前記注入口にはめ込まれる下端開口の外周部を中間部外周より径を小さくして中間部外周と下端開口外周部との間に段差を形成したことを特徴とする請求項１に記載の母乳搾乳具用補助筒。
【発明の詳細な説明】
【技術分野】
【０００１】
本発明は、母乳搾乳具用補助筒に関し、より詳しくは２枚のフィルムの周縁部をヒートシールして受け口部と母乳充填部受け口部と母乳充填部を連通する注入口を形成した母乳保存袋の前記注入口にはめ込んで使用する母乳搾乳具用補助筒に関する。
【背景技術】
【０００２】
この種の補助筒の一形式として、特開２００１−３０１７７６号公報には上端開口の外周部と下端開口の外周部にそれぞれネジ山を形成し、上端側ネジ山に母乳搾乳具をねじ付け、下端側のネジ山を母乳保存袋の注入口に形成したネジ溝にねじ込むことにより、母乳保存袋に母乳を充填したときその重みで母乳保存袋が下端開口部から外れないように、かつ外部から塵埃等が袋内に侵入しないように密着状態で接続できる補助筒が開示されている。
【特許文献１】特開２００１−３０１７７６号公報
【発明の開示】
【発明が解決しようとする課題】
【０００３】
上記した従来の母乳搾乳具用補助筒は、注入口にネジ溝を形成した専用の母乳保存袋を使用しないと補助筒に保存袋を母乳の重みで外れないように、かつ密着状態で接続できないため、使い勝手が悪い。本発明はかかる問題点に鑑み、注入口にネジ溝が形成されていない母乳保存袋に密着接続できる補助筒を提供することを目的とする。
【課題を解決するための手段】
【０００４】
上記目的を達成するため本発明は、２枚のフィルムの周縁部をヒートシールして受け口部と母乳充填部及び受け口部と母乳充填部を連通する注入口を形成した母乳保存袋の前記注入口にはめ込んで使用する母乳搾乳具用補助筒であって、上端開口の外周部に母乳補助具をネジ付けるための上側ネジ山を形成し、かつ下端開口外周部に横断面形状が矩形の下側ネジ山を形成したことを特徴とする。
そして、好ましくは、前記注入口にはめ込まれる下端開口の外周部を中間部外周より径を小さくして中間部外周と下端開口外周部との間に段差を形成する。
【発明の効果】
【０００５】
本発明によれば、下端開口外周部のネジ山の断面形状を矩形に形成したので、母乳保存袋の注入口にこのネジ山をねじ込むと、保存袋のフィルムがネジ山とネジ山の間のネジ溝部分に部分に巻き込まれて、あたかも保存袋の注入口にネジ溝を形成したと同じように補助筒の下端開口外周部が注入口にねじ込まれる。従って、注入口にネジ溝を形成していない母乳保存袋であっても母乳の重みで母乳保存袋が補助筒から外れることがなく、かつ外部から母乳保存袋の母乳充填部に塵埃等が侵入することのないように密着接続できる。
【０００６】
そして、下端開口外周部の径を中間部の径より小さくして下端開口外周部と中間部との間に段差を形成することにより、下端開口外周部を注入口にねじ込んだとき、注入口の上端が段差に当たって注入口のフィルムが強く下端開口外周部に密着する。
【発明を実施するための最良の形態】
【０００７】
本発明の母乳搾乳具用補助筒は、２枚のフィルムの周縁部をヒートシールして受け口部と母乳充填部及び受け口部と母乳充填部を連通する注入口を形成した母乳保存袋の前記注入口にはめ込んで使用する。該補助筒の上端開口の外周部に母乳搾乳具をネジ付けるための上側ネジ山が形成され、下端開口外周部に横断面形状が矩形の下側ネジ山が形成される。
また、母乳保存袋の注入口に嵌め込まれる該補助筒の下端開口の外周部を中間部外周より径を小さくして中間部外周と下端開口外周部との間に段差を形成する。
【実施例】
【０００８】
本発明の実施例に係る母乳搾乳具用補助筒１０を図１及び図２に示す。当該補助筒１０はプラスチック成形品で、上端開口の外周部１１と下端開口の外周部１３にそれぞれ上側ネジ山１２と下側ネジ山１４が形成され、下端開口の外周部１３の外径は中間部１５の外径より小さく、中間部１５と下端開口外周部１３との間に段差部１６が形成されている。
【０００９】
上側ネジ山１２の直下には同ネジ山１２の外径寸法より大きい外径を有するフランジ部１７が凸設されている。下側ネジ山１４は横断面が矩形に形成され、ネジ山とネジ山の間のネジ溝部分の幅は、ネジ山の幅の略２倍の大きさに設定されている。下側ネジ山１４の先端部と後端部は先細に形成されている。
【００１０】
本実施例に係る母乳搾乳具用補助筒１０の構造は以上の通りであって、次ぎにその使用方法を説明する。図３に示すように、母乳保存袋２０を補助筒１０の下端開口１３に取り付ける。母乳保存袋２０は図４に示すように、２枚の透明フィルムを重ねて周縁の全周をヒートシールして溶着し、内部に口幅の広い受け口部２１と口幅の狭い注入口２２及び口幅の広い母乳充填部２３が形成されている。母乳充填部２３の下端部は略三角形の先細形状に形成されている。注入口２２の寸法は丸く膨らませたときその径が補助筒１０の下側ネジ山１４の外径寸法とほぼ同じに設定されている。母乳保存袋２０の上部表面に硬質プラスチック製の帯片２４が貼着され、上部裏面に摘み紙２５が貼着されている。また、表面には注入口２２を被うように粘着テープ２６が貼着され、粘着テープには保護紙２７が貼り付けられている。
【００１１】
母乳保存袋２０を補助筒１１に取り付けるには、上端のヒートシール部分２８を帯片２４に沿って切り裂いて袋口２８ａを形成し、帯片２４の両端を指で押して帯片２４を弓状に撓めながら、摘み紙２５を引っ張ると袋口２８ａが開くので、袋口２８ａから補助筒１０を受け口２１に挿入し、補助筒１０の下端開口１３を注入口２２に差し込んで回す。下側ネジ山１４が先端の先細部分から注入口２２にねじ込まれる。そして、図５に示すように、保存袋２０のフィルムがネジ山とネジ山の間のネジ溝部分に部分に巻き込まれ、補助筒１０の下端開口の外周部１３に母乳保存袋２０が密着状態で取り付けられる。補助筒１０をネジ付けるとき、段差部１６が注入口２２上端部に当たるまでねじ込む。段差部１６が注入口２２上端部に当たることにより、注入口２２のフィルムが下端開口外周部１３に強く密着する。
【００１２】
次ぎに、図３に示すように、補助筒１０の上側ネジ山１２にキャップ３１をネジ付けて摘み片３２と搾乳カップ３０を上端開口１１に取り付ける。この搾乳カップ３０はシリコンゴム又は軟質プラスチックの成形品で、乳頭部分を中心にして乳房に密着するように漏斗形に形成され、漏斗底部に管部３３が一体成形され、管部３３の下端部にフランジ部３４が一体成形されている。
【００１３】
キャップ３１はプラスチック成形品で、キャップ本体３１Ａと、内周面に上側ネジ山１２に対応するネジ溝３５が形成され、上面中央部に取付穴３６が形成されている。摘み片３２はリング部３７と、これに一体成形した指掛け部３８から成る。摘み片３２のリング部３７を上端開口外周部１１に装着し、フランジ部１７に当たって止まるまで挿入する。次いで、キャップ３１の取付穴３６に搾乳カップ３０のフランジ部３４を曲げながら挿入する。そして、キャップ３１を上側ネジ山１２にネジ付け、キャップ３１下端部で摘み片３２のリング部３７をフランジ部１７に締め付けるとともに、搾乳カップ３０のフランジ部３４をキャップ３１の上面裏側で上端開口１１の端面に締め付ける。こうして、搾乳カップ３０と摘み片３２を補助筒１０の上端開口１１に取り付けたら、搾乳カップ３０を乳房に密着させ搾乳カップ３０とともに乳頭や乳房をもんで母乳を搾乳する。母乳は搾乳カップ３０、管部３３、補助筒１０を伝って母乳充填部２３に滴下する。
【図面の簡単な説明】
【００１４】
【図１】本発明の実施例１に係る母乳搾乳具用補助筒を示す平面図である。
【図２】本発明の実施例１に係る母乳搾乳具用補助筒が縦に切断された断面図である。
【図３】本発明の実施例１に係る母乳搾乳具用補助筒が母乳保存袋と搾乳具へ螺合された使用時の全体図である。
【図４】本発明の実施例１に係る母乳搾乳具用補助筒が螺合される母乳保存袋の平面図である。
【図５】本発明の実施例１に係る母乳搾乳具用補助筒が母乳保存袋へ螺合した使用時の注入口付近の部分拡大断面図である。
【符号の説明】
【００１５】
１０…母乳搾乳具用補助筒、１１…上端開口外周部、１２…上側ネジ山、１３…下端開口外周部、１４…下側ネジ山、１５…補助筒中間部、１６…段差部、１７…フランジ部。
２０…母乳保存袋、２１…受け口部、２２…注入口、２３…母乳充填部、２４…帯片、２５…摘み紙、２６…粘着テープ、２７…保護紙、２８…上端ヒートシール部、２８ａ…袋口。
３０…搾乳カップ、３１…キャップ、３２…摘み片、３３…管部、３４…フランジ部、３５…ネジ溝、３６…取付穴、３７…リング部、３８…指掛け部。
【図１】
2005237717.tif 000003
【図２】
2005237717.tif 000004
【図３】
2005237717.tif 000005
【図４】
2005237717.tif 000006
【図５】
2005237717.tif 000007